(57)【要約】  不活性材料、液体結合剤、及び臭気抑制剤を含む組成物であって、臭気抑制剤がアミノポリカルボン酸化合物の塩である、組成物。組成物を調製する方法であって、臭気抑制剤を提供することであって、臭気抑制剤がアミノポリカルボン酸化合物の塩である、提供することと、不活性材料を提供することであって、不活性材料が１０００ミクロン未満の平均粒径を有する粒子を含む、提供することと、高せん断混合器内で、臭気抑制剤を活性材料と混合することと、液体結合剤を混合器に導入することと、直径２００〜２５００ミクロンの顆粒が生じるまで、液体結合剤、無孔不活性材料、及び臭気抑制剤を混合することと、を含む、方法。【特許請求の範囲】
【請求項１】
不活性材料と、
液体結合剤と、
臭気抑制剤と、を含む組成物であって、前記臭気抑制剤がアミノポリカルボン酸化合物の塩である、組成物。
【請求項２】
前記不活性材料が、珪藻土、クエン酸塩、滑石、石膏、炭酸カルシウム、砂、ガラス、泥、アルミナ、アルミナケイ酸塩、ケイ酸塩、またはこれらの組み合わせを含む、請求項１に記載の組成物。
【請求項３】
前記液体結合剤が、水、塩溶液、ＥＤＴＡ塩溶液、グリコール、プロピレングリコール、グリセリン、ポリエチレングリコール、ポリプロピレングリコール、ＵＣＯＮ潤滑剤、またはこれらの組み合わせを含む、請求項１に記載の組成物。
【請求項４】
前記組成物が、２００ミクロン超で２５００ミクロン未満の平均粒径を有する粒子を含む、請求項１に記載の組成物。
【請求項５】
前記臭気抑制剤が、エチレンジアミンまたはジエチレントリアミン骨格を有するアミノポリカルボン酸化合物の塩である、請求項１に記載の組成物。
【請求項６】
前記臭気抑制剤が、エチレンジアミン四酢酸の塩、ジエチレントリアミン五酢酸の塩、Ｎ−ヒドロキシエチルエチレンジアミン三酢酸の塩、またはこれらのうちの２つ以上の混合物である、請求項１に記載の組成物。
【請求項７】
前記不活性材料が前記組成物の１０〜９５重量％を構成し、前記臭気抑制剤が前記組成物の５〜９０重量％を構成する、請求項１に記載の組成物。
【請求項８】
請求項１に記載の組成物と、
ベントナイト粘土を含む顆粒を含む担体材料と、を含む、リター。
【請求項９】
組成物を調製するための方法であって、
（ａ）臭気抑制剤を提供することであって、前記臭気抑制剤がアミノポリカルボン酸化合物の塩であり、前記臭気抑制剤が粒子を含む、提供することと、
（ｂ）不活性材料を提供することであって、前記不活性材料が１０００ミクロン未満の平均粒径を有する粒子を含む、提供することと、
（ｃ）混合器内で、前記臭気抑制剤を前記不活性材料と混合することと、
（ｄ）液体結合剤を前記混合器に導入することと、
（ｅ）直径２００〜２５００ミクロンの顆粒が生じるまで、前記液体結合剤、前記無孔不活性材料、及び前記臭気抑制剤を混合することと、を含む、方法。
【請求項１０】
前記組成物を乾燥させることをさらに含む、請求項９に記載の方法。
【請求項１１】
前記不活性材料が、珪藻土、クエン酸塩、滑石、石膏、炭酸カルシウム、砂、ガラス、泥、アルミナ、アルミナケイ酸塩、ケイ酸塩、またはこれらの組み合わせを含む、請求項９に記載の方法。
【請求項１２】
前記液体結合剤が、水、塩溶液、ＥＤＴＡ塩溶液、グリコール、プロピレングリコール、グリセリン、ポリエチレングリコール、ポリプロピレングリコール、ＵＣＯＮ潤滑剤（食品等級）を含む、請求項９に記載の方法。
【請求項１３】
前記臭気抑制剤が、エチレンジアミンまたはジエチレントリアミン骨格を有するアミノポリカルボン酸化合物の塩である、請求項９に記載の方法。
【請求項１４】
前記臭気抑制剤が、エチレンジアミン四酢酸の塩、ジエチレントリアミン五酢酸の塩、Ｎ−ヒドロキシエチルエチレンジアミン三酢酸の塩、またはこれらのうちの２つ以上の混合物である、請求項９に記載の方法。
【請求項１５】
前記臭気抑制剤が、エチレンジアミン四酢酸の二ナトリウム塩、エチレンジアミン四酢酸の二カリウム塩、またはこれらの混合物である、請求項９に記載の方法。
【発明の詳細な説明】
【技術分野】
【０００１】
本発明は、概して、臭気を制御する組成物及び方法に関する。
【背景技術】
【０００２】
動物用リターが、糞尿の捕集用材料として使用される。これらの生物学的副産物は、悪臭のある化合物、特にアンモニアの発生により、強力な臭気が生じ得る。アンモニアは、動物の排泄物中の尿及び／または尿酸の微生物作用によって生じる。
【０００３】
動物用リターからの臭気は、ヒトを悩ませ、十分に高いレベルで有毒である場合がある。加えて、臭気は、特に鶏舎及び馬房／馬小屋などの閉鎖された環境において動物の福祉を悩ませる。さらに、動物用リターからの排出物は、温室効果に寄与し得る。したがって、動物用リターからの臭気を制御する方法を見出すことが望ましい。
【０００４】
以前の臭気制御組成物は、動物用リターと比較して小さい粒径を有しており、これにより、梱包中または消費者へ移送中に、臭気組成物が動物用リターから分離または隔離するという結果がもたらされ得る。そのような隔離は、臭気制御組成物を動物用リターの表面から離して定着させるか、またはさもなければ動物用リター中に不均一に分布させ、臭気制御組成物の効率を低下させ得る。同様に、リター床の表面、または顆粒の外側に対して臭気制御構成成分が近接していることが望ましい。
【０００５】
本発明によって対処される問題は、組成物の提供、及び動物用リター内でのアンモニア形成を防止し、それによって臭気を制御する方法である。
【発明の概要】
【０００６】
一例では、本開示は、不活性材料、液体結合剤、及び臭気抑制剤を含み、臭気抑制剤がアミノポリカルボン酸化合物の塩である、組成物について記載する。
【０００７】
別の例では、本開示は、臭気抑制剤を提供することであって、臭気抑制剤がアミノポリカルボン酸化合物の塩であり、臭気抑制剤が粒子を含む、提供することと、不活性材料を提供することであって、不活性材料が１０００ミクロン未満の平均粒径を有する粒子を含む、提供することと、高せん断混合器内で、臭気抑制剤を不活性材料と混合することと、液体結合剤を混合器に導入することと、直径２００〜２５００ミクロンの顆粒が生じるまで、液体結合剤、無孔不活性材料及び臭気抑制剤を混合することと、を含む、組成物を調製する方法について記載する。
【発明を実施するための形態】
【０００８】
特に指示がない限り、例えば「２〜１０」などの数値範囲の場合、範囲を定める数（例えば、２及び１０）が含まれる。
【０００９】
特に指示がない限り、比率、百分率、比重等は、重量当たりである。
【００１０】
本明細書で使用される用語「防止する」とは、添加剤の不在下で動物の排泄物中に別様に形成されるであろうアンモニアの量を少なくとも部分的に減少させることを意味する。いくつかの実施形態では、アンモニアの量は、例えば（例えば、実施例に記載されるＤｒａｇｅｒ管を使用する）比色分析指示薬、リアルタイム動物使用における光透過吸収法及び／もしくはガスクロマトグラフィー、または尿分解を模倣する実験室の試験方法によって測定された場合、少なくとも５０％、あるいは少なくとも７０％、あるいは少なくとも９０％、またはあるいは１００％減少する。
【００１１】
本明細書で使用される用語「動物」とは、一般に、非ヒト動物を意味する。非限定例としては、家畜、動物園の動物、農場動物、ペット、及び部分的にまたは完全に囲われた環境でいくらかの時間を過ごす他の動物が挙げられる。より具体的な例としては、ネコ、イヌ、家禽（例えば、鶏）、ウマ、ウシ、ブタ、ウサギ、ゴート、及び齧歯類（例えば、モルモット、ハムスター、フェレット、マウス、及びラット）が挙げられるが、これらに限定されない。
【００１２】
用語「排泄物」とは、細菌によってアンモニアに変換され得る任意の動物の排泄物を指す。一例では、排泄物は、尿、尿酸、またはそれらの両方を含有する任意の動物の排泄物を指す。排泄物の例としては、動物の尿及び糞便（例えば、糞、落下糞）が挙げられる。
【００１３】
本開示は、不活性材料、液体結合剤、及び臭気抑制剤を含有する組成物、ならびに組成物を調製する方法について記載する。一例では、組成物は、担体材料と組み合わされる。別途明確に記載されていない限り、本開示が「組成物」を指す場合、それは、組成物と担体材料との組み合わせを指すのではない。担体材料は、動物及び動物の排泄物用の床敷きまたは吸収剤として典型的に使用される任意の材料であり得、例えば、膨潤性粘土（例えば、ベントナイト及びモンモリロナイト）、非膨潤性粘土（例えば、カオリン）、木くず、干し草、木材チップ、ペレット化おがくず、紙、細断コーンコブ、ピーナッツの殻、木材パルプ、カモジグサ、またはこれらの混合物が挙げられる。いくつかの実施形態では、担体材料は、ベントナイト粘土である。
【００１４】
いくつかの実施形態では、動物は、ネコであり、担体材料は、ベントナイト粘土である。いくつかの実施形態では、動物は、ネコであり、担体材料は、木材チップ、木くず、紙の副生成物、松のペレット、粉砕コーンコブ、またはペレット化おがくずである。
【００１５】
いくつかの実施形態では、動物は、家禽であり、担体材料は、木くずである。
【００１６】
いくつかの実施形態では、動物は、ウマであり、担体材料は、木材チップ、木くず、またはペレット化おがくずである。
【００１７】
本発明の組成物及び方法に使用される臭気抑制剤は、アミノポリカルボン酸化合物の塩を含む。上述したように、臭気抑制剤は、臭気を引き起こす化合物であるアンモニアの形成を防止することによって作用する。本発明の塩に好ましいカチオンとしては、ナトリウムまたはカリウムが挙げられる。
【００１８】
いくつかの実施形態では、アミノポリカルボン酸塩は、４〜９、好ましくは４〜５．５の水中ｐＨを有する。
【００１９】
いくつかの実施形態では、臭気抑制剤は、エチレンジアミンまたはジエチレントリアミン骨格を有するアミノポリカルボン酸化合物塩である。
【００２０】
いくつかの実施形態では、臭気抑制剤は、エチレンジアミン四酢酸塩、ジエチレントリアミン五酢酸塩、Ｎ−ヒドロキシエチルエチレンジアミン三酢酸塩、またはこれらのうちの２つ以上の混合物である。
【００２１】
いくつかの実施形態では、臭気抑制剤は、エチレンジアミン四酢酸のナトリウム塩、エチレンジアミン四酢酸のカリウム塩、またはこれらの混合物である。
【００２２】
いくつかの実施形態では、臭気抑制剤は、エチレンジアミン四酢酸のナトリウム塩またはこのような塩の混合物である。例えば、臭気抑制剤は、エチレンジアミン四酢酸一ナトリウム（ＮａＥＤＴＡ）、エチレンジアミン四酢酸二ナトリウム（Ｎａ２ＥＤＴＡ）、エチレンジアミン四酢酸三ナトリウム（Ｎａ３ＥＤＴＡ）、エチレンジアミン四酢酸四ナトリウム（Ｎａ４ＥＤＴＡ）、またはこれらのうちの２つ以上の混合物である。いくつかの実施形態では、Ｎａ２ＥＤＴＡが好ましい。
【００２３】
いくつかの実施形態では、臭気抑制剤は、エチレンジアミン四酢酸のカリウム塩またはこのような塩の混合物である。例えば、臭気抑制剤は、エチレンジアミン四酢酸一カリウム（ＫＥＤＴＡ）、エチレンジアミン四酢酸二カリウム（Ｋ２ＥＤＴＡ）、エチレンジアミン四酢酸三カリウム（Ｋ３ＥＤＴＡ）、エチレンジアミン四酢酸四カリウム（Ｋ４ＥＤＴＡ）、またはこれらのうちの２つ以上の混合物である。いくつかの実施形態では、Ｋ２ＥＤＴＡが好ましい。
【００２４】
いくつかの実施形態では、不活性材料は、本明細書に記載されるように、臭気抑制剤と組み合わされて、組成物を形成し得る微粒子または顆粒の性質を帯びた材料である。一例では、不活性材料は、無孔不活性材料である。無孔不活性材料の例としては、クエン酸塩、滑石、石膏、炭酸カルシウム、砂、ガラス、及び泥が挙げられる。一例では、不活性材料は、多孔不活性材料である。多孔不活性材料の例としては、珪藻土、アルミナ、アルミナケイ酸塩及びケイ酸塩が挙げられる。一例では、不活性材料が無孔不活性材料であることが好ましい。一例では、不活性材料が実質的にカルシウムを含まず、例えば、不活性材料が１重量％未満のカルシウムしか含有しないことが好ましい。理論によって制限されることなく、臭気抑制剤が、カルシウム含有材料をキレート化すると想定される。場合によっては、好ましい不活性材料は、砂である。場合によっては、好ましい不活性材料は、砂とクエン酸塩との混合物である。場合によっては、不活性材料は、実質的に無孔であり、不活性材料が、総体積によって計算される、９０％未満のボイドからなることを意味する。好ましくは、不活性材料は、中性ｐＨを有する。一例では不活性材料は６〜８のｐＨを有し、一例ではｐＨは６．５〜７．５であり、一例では、ｐＨは、６．８〜７．２であり、一例では、ｐＨは、６．９〜７．１であり、一例では、ｐＨは、７．０である。好ましくは、不活性材料は、低毒性を有する。本明細書で使用する場合、「低毒性」とは、（経口ＬＤ５０標準によって測定される）体重１キログラム当たり１０００ミリグラム超の化合物の致死量を有する化合物を指す。
【００２５】
いくつかの実施形態では、液体結合剤は、臭気抑制剤及び不活性材料と組み合わせた場合、移送及び典型的な使用中に、顆粒の大部分が実質的にその形状及びサイズを保持するように臭気抑制剤及び不活性材料を顆粒と組み合わせる液体溶液である。場合によっては、液体結合剤は、水、塩溶液、ＥＤＴＡ塩溶液、グリコール、プロピレングリコール、グリセリン、ポリエチレングリコール、ポリプロピレングリコール、ポリアルキレングリコール潤滑剤、またはこれらの組み合わせである。好ましくは、液体結合剤は、室温で液体である。好ましくは、液体結合剤は、低毒性を有する。列挙された液体結合剤のうちのいくつかは、室温でいくらかの蒸発に供され、したがって、顆粒が一度形成されると、選択される液体結合剤に応じて、液体結合剤の少なくとも一部が顆粒から蒸発し、それによって顆粒中の液体結合剤含有量を低下させると予想される。液体結合剤の一部が蒸発した後であっても、顆粒が結び付いていることが観察される。理論によって制限されることなく、顆粒は液体結合剤の毛管現象によって当初結び付けられると予想されるが、臭気抑制剤と不活性材料が互いに接触すると、臭気抑制剤及び不活性材料のうちの一方またはそれらの両方の結晶構造が改質されて、液体結合剤の少なくとも部分的な蒸発後に顆粒が不活性のまま残るように、臭気抑制剤を不活性材料に結合する。
【００２６】
別の態様では、本発明は、リター粒子の表面または近くでの臭気抑制剤の好ましい配置によって、尿分解の防止の効率改善を提供する。
【００２７】
本明細書に記載される組成物及び方法は、動物用リターに典型的に使用される臭気抑制剤及び担体材料の他に、他の添加剤を含有し得る。これらには、充填剤、湿潤剤、崩壊剤、臭気吸収材料（例えば、炭酸ナトリウム、炭酸カリウム、ケイ酸質材料、オパーリンシリカ、活性炭、重硫酸ナトリウム錯体、またはトウモロコシデンプン）、ゼオライト、脱塵剤（例えば、グアーガム、ＰＴＦＥ被覆粘土、またはフルオロポリマー）、ブロノポール及び銀系化合物などの抗菌剤、香料、他のキレート剤（例えば、ジエチレントリアミン五酢酸（ＤＴＰＡ））、石膏、低分子有機酸、中和能または酸性基（例えば、酢酸セルロース、ポリカルボン酸塩を有するポリマー、米粉、第四級アミン、善玉菌及び／またはアンモニア酸化菌が挙げられるが、これらに限定されない。
【００２８】
いくつかの実施形態では、本明細書に記載される組成物は、他の臭気防止添加剤を含まず、例えば、アルカリ金属四ホウ酸塩ｎ−水和物、ミョウバン、他の遷移金属塩（例えば、Ｚｎ、銅塩）及び／またはホウ素化合物のうちの１つ以上を含まない。組成物が添加剤を含まないと言われる場合、組成物が、その添加剤の１重量％未満、好ましくはその添加剤の０．１重量％未満、より好ましくはその添加剤の０．０１重量％未満しか構成しないことを意味する。
【００２９】
いくつかの実施形態では、組成物の顆粒は、１００ミクロン超で２５００ミクロン未満の平均粒径を有する。いくつかの実施形態では、組成物は、２００ミクロン超で２５００ミクロン未満の平均粒径を有する。いくつかの実施形態では、組成物は、２００ミクロン超で１５００ミクロン未満の平均粒径を有する。
【００３０】
いくつかの実施形態では、組成物は、１０〜９５重量％の不活性材料を含む。いくつかの実施形態では、組成物は、１５〜８０重量％の不活性材料を含む。いくつかの実施形態では、組成物は、２０〜７０重量％の不活性材料を含む。いくつかの実施形態では、組成物は、２５〜６０重量％の不活性材料を含む。いくつかの実施形態では、組成物は、３０〜５０重量％の不活性材料を含む。いくつかの実施形態では、組成物は、３５〜４５重量％の不活性材料を含む。
【００３１】
いくつかの実施形態では、組成物は、５〜９０重量％の臭気抑制剤を含む。いくつかの実施形態では、組成物は、１０〜８５重量％の臭気抑制剤を含む。いくつかの実施形態では、組成物は、１５〜８０重量％の臭気抑制剤を含む。いくつかの実施形態では、組成物は、２０〜７５重量％の臭気抑制剤を含む。いくつかの実施形態では、組成物は、２５〜７０重量％の臭気抑制剤を含む。いくつかの実施形態では、組成物は、３０〜６５重量％の臭気抑制剤を含む。いくつかの実施形態では、組成物は、３５〜６０重量％の臭気抑制剤を含む。いくつかの実施形態では、組成物は、４０〜５５重量％の臭気抑制剤を含む。いくつかの実施形態では、組成物は、４４〜５４重量％の臭気抑制剤を含む。いくつかの実施形態では、組成物は、４６〜５３重量％の臭気抑制剤を含む。いくつかの実施形態では、組成物は、４８〜５２重量％の臭気抑制剤を含む。いくつかの実施形態では、組成物は、４９〜５１重量％の臭気抑制剤を含む。
【００３２】
いくつかの実施形態では、組成物は、０．０１〜１５重量％の液体結合剤を含む。いくつかの実施形態では、組成物は、０．１〜１４重量％の液体結合剤を含む。いくつかの実施形態では、組成物は、１〜１３重量％の液体結合剤を含む。いくつかの実施形態では、組成物は、４〜１２重量％の液体結合剤を含む。いくつかの実施形態では、組成物は、８〜１１重量％の液体結合剤を含む。
【００３３】
いくつかの実施形態では、組成物が排泄物と接触すると、臭気抑制剤及び結合剤が急速に溶解し、排泄物と組み合わさって、臭気抑制剤が作用することを可能にし、臭気形成を防止するように、組成物の分散速度は急速である。急速な分散により、排泄物中の細菌が相当量のアンモニアを発生し得る前に、組成物がアンモニアの形成を防止することを可能にする。本明細書の実施例で示すように、本明細書に記載される組成物の分散速度は、以前の臭気抑制剤組成物よりも早く、したがって、本組成物は、改善品である。
【００３４】
いくつかの実施形態では、本明細書に記載される組成物は、以下の方法：（ａ）臭気抑制剤を提供することであって、臭気抑制剤がアミノポリカルボン酸化合物の塩である、提供することと、（ｂ）不活性材料を提供することであって、不活性材料が１０００ミクロン未満の平均粒径を有する粒子を含む、提供することと、（ｃ）混合器内で、臭気抑制剤を不活性材料と混合することと、（ｄ）液体結合剤を混合器に導入することと、（ｅ）直径２００〜２５００ミクロンの顆粒が生じるまで、液体結合剤、無孔不活性材料及び臭気抑制剤を混合することと、に従って形成される。いくつかの実施形態では、顆粒は乾燥される。一例では、乾燥工程は、スクリーニング工程前に実施される。いくつかの実施形態では、組成物は、直径２００ミクロン未満の粒子及び直径２５００ミクロン超の粒子を除去するように組成物をスクリーニングすることによってさらに形成される。粒径を参照する場合、本明細書に記載される顆粒及び粒子は不規則形状であろうと理解され、したがって、粒子が、例えば直径２００ミクロンの粒径を有すると記載される場合、これは粒子の平均粒径が２００ミクロンであることを意味すると理解される。好ましい実施形態では、組成物は、例えば、より小さい粒子、特に１５０ミクロン未満の粒子の場合、顆粒が吸入リスクにならないようにサイズ決めされる。
【００３５】
乾燥工程は、熱または何らかの他の方法、例えば対流によって行われ得る。一例では、乾燥工程により、液体結合剤の少なくとも一部が組成物から蒸発する。一例では、乾燥工程により、液体結合剤の少なくとも１０重量％を組成物から除去する。一例では、乾燥工程により、液体結合剤の少なくとも２０重量％を組成物から除去する。一例では、乾燥工程により、液体結合剤の少なくとも３０重量％を組成物から除去する。一例では、乾燥工程により、液体結合剤の少なくとも４０重量％を組成物から除去する。一例では、乾燥工程により、液体結合剤の少なくとも５０重量％を組成物から除去する。一例では、乾燥工程により、液体結合剤の少なくとも６０重量％を組成物から除去する。一例では、乾燥工程により、液体結合剤の少なくとも７０重量％を組成物から除去する。一例では、乾燥工程により、液体結合剤の少なくとも８０重量％を組成物から除去する。一例では、乾燥工程により、液体結合剤の少なくとも９０重量％を組成物から除去する。
【００３６】
本明細書に記載される方法で使用される混合器は、記載される顆粒を形成するのに十分な任意の混合器、例えば、高せん断混合器である。
【００３７】
一例では、臭気抑制剤は、粒子の９０％が１００ミクロン未満であり、粒子の５０％が２５ミクロン未満である粒子によって定義される。
【００３８】
本明細書に記載されるように、組成物を担体材料に添加することにより、アンモニアの防止がもたらされ、それによって望ましくない動物臭気が著しく低下する結果となる。組成物は、例えば（乾燥ブレンドまたは共粉砕を含む）固体混合、拡散、散在等を含む当業者に既知の様々な標準技術によって担体材料と組み込まれ得る。
【００３９】
例えば、一実施形態では、組成物は、担体材料の床の上部にわたって散在され得る。本実施形態では、担体材料の床がさらにかき混ぜられて、組成物を材料により深く混合し得る。
【００４０】
別の実施形態では、組成物は担体材料と乾燥ブレンドされ、動物用リターとして使用する前に共に梱包され得る。好ましい実施形態では、顆粒及び担体材料が類似のサイズ及び形状となり、分離による担体から臭気抑制剤含有粒子の脱混合または層化を抑制するように、乾燥ブレンド前に組成物が顆粒に製造される。
【００４１】
上記の実施形態のうちのいずれかは、組成物及び担体材料の組み込みを達成するために異なる器具が使用され得る。
【００４２】
組成物を混合する場合、粒子分離の可能性を低下させるために、担体及び組成物の粒子密度と同様に、形状を一致させることが望ましい場合がある。
【００４３】
他の混合技術としては、担体材料と組成物との混合物の乾燥ブリケッティングを挙げることができ、この工程でこれらの両方を均一に組み込む（例えば、数百ミクロンからミリメートルのサイズ範囲が好適であり得る）。
【００４４】
いくつかの実施形態では、動物が担体材料に排泄物を放出する前に、組成物が担体材料に適用され得る。いくつかの実施形態では、二度目またはその後の使用の発生用に、組成物が担体材料に適用または再適用され得る。
【００４５】
当業者であれば、組成物中に含まれるべき本発明の臭気抑制剤化合物の有効量を容易に決定することができ、組成物は担体材料との組み合わせで使用される。非限定的な例として、臭気抑制剤の好適な量としては、担体材料と組成物との組み合わせの総重量に基づき、少なくとも０．０１重量％、好ましくは少なくとも０．１重量％、より好ましくは少なくとも０．１５重量％を挙げることができる。臭気抑制剤の量に特定の上限が存在するわけではないが、いくつかの実施形態では、担体材料と組成物との組み合わせの総重量に基づき、１０重量％以下、あるいは８重量％以下、あるいは５重量％以下、あるいは１．２重量％以下、またはあるいは０．５重量％以下を使用することが望ましい場合がある。
【００４６】
担体材料を含有する動物用リターへの臭気抑制剤の添加により、望ましくない動物臭気を低下させる。臭気抑制剤は、例えば、吹き付け、（乾燥ブレンドまたは共粉砕を含む）固体混合、拡散、散在、担体材料への臭気抑制剤の結晶化／析出等を含む、当業者に既知の様々な標準技術によって担体材料と組み込まれ得る。
【００４７】
例えば、一実施形態では、臭気抑制剤は、担体材料の床の上部にわたって散在され得る。本実施形態では、担体材料の床がさらにかき混ぜられて、臭気抑制剤を材料により深く混合し得る。散在臭気抑制剤は、リター床から臭気抑制剤の分散を助ける担体または流動助剤も含み得る。
【００４８】
別の実施形態では、動物用リターとして使用する前に、臭気抑制剤は担体材料と乾燥ブレンドされ、共に梱包され得る。好ましい実施形態では、臭気抑制剤は乾燥ブレンド前に微粉末に製造され、担体材料への臭気抑制剤の被覆性を促進する。微粉末は、吹き付け乾燥、粉砕、析出、またはこれらの組み合わせによって生成され得、乾燥ブレンドすること、または液体と結合することによって流動助剤と組み合わされて、担体への接着を促進し得る。別の好ましい実施形態では、液体が臭気抑制剤粉末及び担体と混合され、臭気抑制剤を担体に結合させることを補助する。例えば、その液体は、水、または溶媒もしくは油もしくは臭気抑制剤の溶液、またはその存在が担体への臭気抑制剤粉末の接着を促進する任意の液体であり得る。
【００４９】
別の実施形態では、担体材料は、結合剤液が吹き付けられ、次に結合剤液によって所望の濃度で担体材料に乾燥粒子が接着されるように、乾燥臭気抑制剤とブレンドされ得る。同様に、担体材料は、乾燥臭気抑制剤とブレンドされ、次に結合剤液によって所望の濃度で担体材料に乾燥粒子が接着されるように、結合剤液が吹き付けられ得る。次いで、任意選択的に結合剤液中に存在し得る水または溶媒成分を蒸発させるために、被覆担体粒子が任意選択的に乾燥され得る。好ましくは、結合剤は少なくとも部分的に水溶性である。予想される結合剤は、デンプン、水、ポリエチレングリコール、ポリプロピレングリコール、または臭気抑制剤自体の溶液を含み得る。
【００５０】
本発明のいくつかの実施形態が、これから以下の実施例で詳細に記載される。
【実施例】
【００５１】
合成尿調製。これらの実施例では、合成尿を以下の通り調製する。滅菌ボトル内に以下の構成成分を加える：尿素（ＵＳＰ等級）８５．０ｇ、塩化ナトリウム（Ｍｏｒｔｏｎ’ｓ（登録商標）食卓塩またはＵＳＰ等級）９．０ｇ、硫酸マグネシウム五水和物（ＡＣＳ等級）０．４ｇ、酢酸カルシウム（純度９９％）０．７ｇ、硫酸カリウム（ＡＣＳ認定）４．０ｇ、及び硫酸アンモニウム（ＡＣＳ認定）２．４ｇ。逆浸透精製水１０００ｇを別個の滅菌ボトルに添加する。精製水を、これらの構成成分を含有するボトルに注ぐ。ボトルにキャップをし、例えば１〜３時間、周囲温度でボトルローラ上に置く。溶液のｐＨを測定し、ｐＨが６．５〜７であることを確認する。ｐＨが７よりも高い場合、硫酸アンモニウムを（一般に、０．２〜０．３ｇ）添加し、ｐＨを範囲内にする。
【００５２】
細菌調製。これらの実施例では、有効性試験に使用した細菌は、ネコの糞尿からの環境隔離にある。この純株を滅菌トリプシン大豆寒天プレート上に分離し、冷蔵庫に保存する。新鮮なプレートを２週間毎に準備する。この株を、ＤＮＡ塩基配列決定のために外部研究所に送り、ブドウ球菌キシロサスの株であると決定する。カタログ番号２９９７１のＡＴＣＣ由来のブドウ球菌キシロサスの基準株を試験し、ここで、より高濃度で使用した環境隔離と類似の結果を得る。
【００５３】
１０μＬの白金耳を用いて白金耳量の細菌を寒天プレートから採取し、それを容器の半分を満たす滅菌トリプシン大豆培養液１０ｍＬ中に浸漬することによって、実験の開始前日に細菌を培養する。これは好気性菌であり、それ故に成長培地の上部に空気が必要である。バイアルを、振とう培養器内で３０℃、１００ｒｐｍで２４時間培養する。成長培地中の細菌の計数は、滅菌生理緩衝食塩水（ＰＢＳ）溶液中の成長培地の１０段階希釈が毎回１０倍希釈で実施される段階希釈法によって決定され得る。各希釈物を、各プレートの成長培地１００μＬを使用して２度プレーティングする。希釈プレート上に３０〜３００コロニー形成単位（ＣＦＵ）を有する希釈プレート上のコロニー数を計数する。次に、当初の成長培地中のコロニー形成単位数を、希釈数を逆算することによって決定する。
【００５４】
ここで使用された細菌は、典型的に、一晩で〜９．９×１０７ＣＦＵ／ｍＬに成長する（この推定量は、試料の接種前に希釈を行うために使用される）。
【００５５】
これらの実験に使用された全てのピペット、容器、チップ、スプーンなどの用具を、他の細菌による汚染を防止するために滅菌する。リター及び単独処理物を、滅菌せずそのまま使用する。
【００５６】
実施例１
組成物調製：フードプロセッサ混合器に、Ｋ２ＥＤＴＡ５０．０グラム、４０〜７０メッシュの砂５０．０グラム、及びプロピレングリコール５ミリリットルを添加し、次に１２０秒間混合する。得られた組成物をスクリーニングし、組成物を粒径、１０〜１８メッシュ、１８〜４０メッシュ、及び４０メッシュ超（ｐａｎ）によって分離する。
【００５７】
リター調製。滅菌した１Ｌ（例えば、Ｔｒｉ−Ｐｏｕｒ（登録商標））容器に、試験されるネコのリター１９０ｇを充填する（Ｂｅｎｔｏｎｉｔｅ  Ｐｅｒｆｏｒｍａｎｃｅ  Ｍａｔｅｒｉａｌｓ  ＬＬＣのＮａｔｉｏｎａｌ１２ベントナイト粘土リター）。各試験試料用にリター１０ｇを計量し、取っておく。容器を軽くたたくことによって、各試験試料中のリターを平らにする。清潔な５０ｍＬの円錐管を使用して、深さ約１７ｍｍ、リター試料の中央が直径２７．５ｍｍの凹みを作成する。試験試料間の管の外側を拭く。組成物の顆粒６．１グラムを、各サイズ範囲で形成された凹み（各凹みには１つの粒径範囲のみが添加される）に散在させ、リター（Ｎａｔｉｏｎａｌ１２ベントナイト粘土）２００グラムの上部に散在させる。滅菌ＰＢＳを用いて、トリプシン大豆培養液中の細菌溶液を希釈することによって接種溶液を調製し、５×１０７ＣＦＵ／ｍＬを得る。各試料の接種直前に、接種溶液３ｍＬを、滅菌した５０ｍＬの遠心器中の合成尿３７ｍＬに添加し、３秒間、撹拌混合し、リター試料中の凹みに注いだ。１ミリリットル当たり約３×１０−７個の細胞を有する細菌接種材料に、合成尿４０ミリリットルを添加し、それらの組み合わせを処理リターの上部に添加する。合成尿混合物の上部に取っておいたリター１０ｇを均等に散在する。アルミ箔シートを使用してビーカーを覆い、ビーカーから蒸気が漏れるのを防止する。
【００５８】
上部空間のアンモニア測定。各試験容器の上部空間を試料抽出するために使用されたＤｒａｅｇｅｒ管を、ＳＥＮＳＩＤＹＮＥ（登録商標）ＡＰ−２０Ｓ吸引検知管ポンプを使用して試料抽出する。低（０．２〜２０ｐｐｍ）または高（５〜２６０ｐｐｍ）範囲のＳＥＮＳＩＤＹＮＥ（登録商標）アンモニアガス検知管を使用して、上部空間のアンモニア濃度を定量化する。以下の手順を、アンモニア検出及び各試験試料の定量化に使用する。１．ポンプの遮断ポートを使用して、検知管の両端を遮断する。２．検知管の矢印を吸引ポンプの方に向ける。検知管を、吸引ポンプのゴム管コネクタにしっかりと挿入する。３．試験の上部空間を試料抽出し、試験試料のアルミ箔カバーの中心に小さい孔をあける。明記された測定距離まで（吸引ポンプに接着した）検知管を試料抽出孔に挿入する。ガス検知管）の下端の太い青線と等しい４５ｍｍまで、管を上部空間に挿入する。４．ポンプを４５ｍｍの測定距離に保つ。ポンプのハンドルを、ロック位置に対して最大のストロークで引っ張る。ポンプの流量指示計で確認される試料抽出の完了まで１分間待つ。必要であれば、吸引ポンプの取扱説明書により、より詳細を提供されるであろう。着色層（黄色）の最高地点で、目盛を読む。測定直後に濃度を読み取り、報告する。表示が目盛外（例えば、低範囲の管の場合２０ｐｐｍ）である場合、高範囲のガス検知管を使用して測定を繰り返す。試料抽出後、アルミ箔カバーの試料抽出孔をテープで封じる。試験条件によって明記されるように、試料抽出は、本試験を通じて複数日に実施されるであろう。試料抽出は、１、３、６、及び１０日目、または１、４、７、１１日目に行われる。発生したアンモニアレベルを測定する。結果を、表１及び２に要約する。
【００５９】
【表１】
2018523525.tif 000002
【００６０】
【表２】
2018523525.tif 000003
【００６１】
結果は、臭気制御配合物をネコのリターと混合することによってアンモニア発生が低減されることを示す。
【００６２】
実施例２
組成物調製：フードプロセッサ混合器に、Ｎａ２ＥＤＴＡ５０．０グラム、４０〜７０メッシュの砂５０．０グラム、及び４０％Ｋ２ＥＤＴＡを含有する水溶液５ミリリットルを添加し、次に１２０秒間混合する。得られた組成物をスクリーニングし、組成物を粒径、１０〜１８メッシュ、１８〜４０メッシュ、及び４０メッシュ超（ｐａｎ）によって分離する。
【００６３】
リター調製。実施例１に従ってリターを調製する。
【００６４】
上部空間のアンモニア測定。実施例１の記載通りにアンモニアを測定する。結果を、表３及び４に要約する。
【００６５】
【表３】
2018523525.tif 000004
【表４】
2018523525.tif 000005
【００６６】
実施例３
組成物調製：１０リットルのダブルアームシグマ混合器（ＬＣＩ  Ｃｏｒｐ．ＫＤＨＪ−１０型）に、砂（４０〜７０メッシュ）１２００グラム、クエン酸ナトリウム水和物粉末３００グラム、及びＮａ２ＥＤＴＡ粉末１５００グラムを添加する。混合器内で、乾燥粉末を１２０秒間ブレンドする。混合している間、脱イオン水１５０ｍｌを１５分にわたってゆっくりと添加する。次に、湿潤粉末をさらに５分間ブレンドする。次に、顆粒状粉末ブレンドを容器に移す。次いで、容器からブレンドを３つの焼付けトレイに吹き付け、オーブン内に３０分間置く（オーブン温度の設定値は１０５℃である）。３０分後、乾燥顆粒をオーブンから取り出し、スクリーニングする。大きすぎる塊を粉砕し、再度スクリーニングする。スクリーニングから以下の生成物が得られた：３６０〜２４５０ミクロンの顆粒１８０５グラム、３６０ミクロン未満の粉末７８７グラム、及び２４５０ミクロン超の粒子８グラム。
【００６７】
実施例１と同じ方法でリターを用いて、３６０〜２４５０ミクロンの粒径の有効性を試験する。
【００６８】
リター調製。実施例１に従ってリターを調製する。
【００６９】
上部空間のアンモニア測定。実施例１の記載通りにアンモニアを測定する。結果を、表５及び６に要約する。
【００７０】
【表５】
2018523525.tif 000006
【００７１】
【表６】
2018523525.tif 000007
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
組成物を調製するための方法であって、
（ａ）臭気抑制剤を提供することであって、前記臭気抑制剤がアミノポリカルボン酸化合物の塩であり、前記臭気抑制剤が粒子を含む、提供することと、
（ｂ）不活性材料を提供することであって、前記不活性材料が１０００ミクロン未満の平均粒径を有する粒子を含む、提供することと、
（ｃ）混合器内で、前記臭気抑制剤を前記不活性材料と混合することと、
（ｄ）液体結合剤を前記混合器に導入することと、
（ｅ）直径２００〜２５００ミクロンの顆粒が生じるまで、前記液体結合剤、前記無孔不活性材料、及び前記臭気抑制剤を混合することと、を含む、方法。
【請求項２】
前記組成物を乾燥させることをさらに含む、請求項１に記載の方法。
【請求項３】
前記不活性材料が、珪藻土、クエン酸塩、滑石、石膏、炭酸カルシウム、砂、ガラス、泥、アルミナ、アルミナケイ酸塩、ケイ酸塩、またはこれらの組み合わせを含む、請求項１に記載の方法。
【請求項４】
前記液体結合剤が、水、塩溶液、ＥＤＴＡ塩溶液、グリコール、プロピレングリコール、グリセリン、ポリエチレングリコール、ポリプロピレングリコール、ＵＣＯＮ潤滑剤（食品等級）を含む、請求項１に記載の方法。
【請求項５】
前記臭気抑制剤が、エチレンジアミンまたはジエチレントリアミン骨格を有するアミノポリカルボン酸化合物の塩である、請求項１に記載の方法。
【請求項６】
前記臭気抑制剤が、エチレンジアミン四酢酸の塩、ジエチレントリアミン五酢酸の塩、Ｎ−ヒドロキシエチルエチレンジアミン三酢酸の塩、またはこれらのうちの２つ以上の混合物である、請求項１に記載の方法。
【請求項７】
前記臭気抑制剤が、エチレンジアミン四酢酸の二ナトリウム塩、エチレンジアミン四酢酸の二カリウム塩、またはこれらの混合物である、請求項１に記載の方法。
【国際調査報告】
2018523525.tif 000008
2018523525.tif 000009